(57)【特許請求の範囲】
【請求項１】
安全捕捉装置を備えたフーバー針組立体であって、
本体部と、
前記本体部から遠位に延在する針と、
前記針及び前記本体部に対して固定された少なくとも１つのハンドルと、
遠位端部と近位端部とを有する可動アームであって、前記本体部に対して旋回可能である可動アームと、
前記可動アームの遠位端部に存在する捕捉フードであって、該捕捉フードの長手方向軸の周りに大体円筒形である捕捉フードと、
を有し、
前記捕捉フードは、
前記長手方向軸の周りの外周側壁部であって、前記長手方向軸に対して外面と内面とを有する外周側壁部と、
開口近位端部と、
前記外周側壁部を通じたスロットであって、前記側壁部の外面と内面との間の前記側壁部の厚さによって規定される深さを有し、２つの側面を有し、各側面が前記側壁部の外面と内面との間の前記側壁部の厚さによって規定される深さに沿う縁部によって特徴づけられ、前記外周側壁部によって一部が規定された前記捕捉フードの内部円筒形チャンバへのアクセスを付与し、前記捕捉フードの開口近位端部まで前記捕捉フードの長さの少なくとも一部に亘って長手方向に延在し、少なくとも一部が前記針の外径より小さい幅を有するスロットと、によってさらに規定され、
前記本体部から近位に延在する延在チューブと、
前記組立体が使用前位置にあるときに前記可動アームを前記延在チューブにクランプするために前記可動アームの第１外面に配置された少なくとも１つのラッチと、
を有する
フーバー針組立体。
【請求項２】
前記スロットの側面の少なくとも一部は、前記外周側壁部の外面に隣接した前記スロットの少なくとも一部の幅が前記外周側壁部の内面に隣接した前記スロットの少なくとも一部の幅より大きいようにテーパ状にされている、
請求項１に記載のフーバー針組立体。
【請求項３】
前記外周側壁部の外面に隣接した前記スロットの少なくとも一部の幅は、前記針の外径より大きく、前記外周側壁部の内面に隣接した前記スロットの少なくとも一部の幅は、前記針の外径より小さい、
請求項２に記載のフーバー針組立体。
【請求項４】
前記外周側壁部の外面に隣接した前記スロットの少なくとも一部の幅は、０．０３５〜０．０３７インチの間であり、前記外周側壁部の内面に隣接した前記スロットの少なくとも一部の幅は、０．０３２〜０．０３５インチの間であり、前記針の外径は、０．０３５インチである、
請求項３に記載のフーバー針組立体。
【請求項５】
前記捕捉フードの遠位端部は閉塞されている、
請求項１に記載のフーバー針組立体。
【請求項６】
前記捕捉フードは、該捕捉フードの遠位端部の少なくとも一部に亘ってテーパ状にされ、前記外周側壁部の外面の直径及び前記外周側壁部の内面の直径は共に、前記針の先端部を収容するように減少される、
請求項１に記載のフーバー針組立体。
【請求項７】
前記捕捉フードは、該捕捉フードの近位端部から、前記組立体が使用後安全捕捉位置にあるときに前記針の先端部に大体隣接した位置まで続く円筒形であり、前記捕捉フードはそれから、該捕捉フードの遠位端部までテーパ状にされている、
請求項１に記載のフーバー針組立体。
【請求項８】
前記捕捉フードは、該捕捉フードの近位端部から、前記組立体が使用後安全捕捉位置にあるときに前記針の遠位端部にある曲げ部に大体隣接した位置まで続く円筒形であり、前記捕捉フードはそれから、該捕捉フードの遠位端部までテーパ状にされ、前記外周側壁部の外面の直径及び前記外周側壁部の内面の直径は共に、前記針の先端部を密接に収容するように減少される、
請求項１に記載のフーバー針組立体。
【請求項９】
前記可動アームは、単一のヒンジから構成され、前記単一のヒンジは、前記可動アームの近位端部に位置付けられ、前記単一のヒンジは、前記本体部に対して前記可動アームの旋回性を付与する、
請求項１に記載のフーバー針組立体。
【請求項１０】
前記本体部は、エルボとして規定され、前記エルボは、該エルボのくぼみにおいて前記可動アームに移動可能に取り付けられる、
請求項９に記載のフーバー針組立体。
【請求項１１】
前記可動アームの長手方向軸は、前記単一のヒンジの長手方向軸の周りに旋回し、前記可動アームの長手方向軸は、前記単一のヒンジの長手方向軸に垂直である、
請求項９に記載のフーバー針組立体。
【請求項１２】
前記本体部及び前記可動アームは、一体的に成形され、前記可動アームの近位端部にある前記単一のヒンジは、そこにある縮れ部である、
請求項９に記載のフーバー針組立体。
【請求項１３】
前記組立体が使用後安全捕捉位置にあるときに前記可動アームを前記針にクランプするために前記可動アームの第２内面に配置された少なくとも１つのラッチをさらに有する、
請求項１に記載のフーバー針組立体。
【請求項１４】
前記少なくとも１つのハンドルは、前記本体部の遠位端部から延在して前記本体部に一体化される、
請求項１に記載のフーバー針組立体。
【請求項１５】
前記スロットは、遠位部分と近位部分とを有し、前記スロットの近位部分の深さは、前記スロットの遠位部分の深さより大きい、
請求項１に記載のフーバー針組立体。
【請求項１６】
前記スロットは、内方に狭くなるテーパ状にされている、
請求項１５に記載のフーバー針組立体。
【請求項１７】
前記スロットの近位部分の側面は、前記外周側壁部の外面に隣接した前記スロットの近位部分の幅が前記外周側壁部の内面に隣接した前記スロットの近位部分の幅より大きいようにテーパ状にされている、
請求項１５に記載のフーバー針組立体。
【請求項１８】
前記外周側壁部の外面に隣接した前記スロットの近位部分の幅は、前記針の外径より大きく、前記外周側壁部の内面に隣接した前記スロットの近位部分の幅は、前記針の外径より小さい、
請求項１７に記載のフーバー針組立体。
【請求項１９】
前記外周側壁部の外面に隣接した前記スロットの近位部分の幅は、０．０３５〜０．０３７インチの間であり、前記外周側壁部の内面に隣接した前記スロットの近位部分の幅は、０．０３２〜０．０３５インチの間であり、前記針の外径は、０．０３５インチである、
請求項１８に記載のフーバー針組立体。
【請求項２０】
前記スロットの遠位部分の側面は、前記外周側壁部の外面に隣接した前記スロットの遠位部分の幅が前記外周側壁部の内面に隣接した前記スロットの遠位部分の幅より大きいようにテーパ状にされている、
請求項１５に記載のフーバー針組立体。
【請求項２１】
前記外周側壁部の外面及び内面に隣接した前記スロットの遠位部分の幅は、前記針の外径の２．５倍以上である、
請求項２０に記載のフーバー針組立体。
【請求項２２】
前記外周側壁部の外面及び内面に隣接した前記スロットの遠位部分の幅は、０．０８７５インチ以上であり、前記針の外径は、０．０３５インチである、
請求項２１に記載のフーバー針組立体。
【請求項２３】
安全捕捉装置を備えたフーバー針組立体であって、
本体部と、
前記本体部から遠位に延在する針であって、前記針の長手方向軸を規定する近位端部と遠位端部とを有する針と、
前記針及び前記本体部に対して固定された少なくとも１つのハンドルと、
可動アームの長手方向軸を規定する遠位端部と近位端部とを有する可動アームであって、ヒンジの周りに前記本体部に対して旋回可能である可動アームと、
前記可動アームの遠位端部に存在する捕捉フードであって、前記捕捉フードへのアクセスを付与するスロットを有する捕捉フードと、
前記本体部から延在する延在チューブであって、前記延在チューブの長さが前記延在チューブの長手方向軸を規定する延在チューブと、
前記組立体が使用前位置にあるときに前記可動アームを前記延在チューブにクランプするために前記可動アームの第１外面に配置された少なくとも１つのラッチと、
を有し、
前記可動アームは、前記可動アームが第１位置において前記針と平行に延在すると共に前記可動アームが第２位置において前記延在チューブと平行に延在するように、前記延在チューブの長手方向軸及び前記針の長手方向軸によって規定される平面において前記ヒンジの周りに旋回する
フーバー針組立体。
【請求項２４】
前記第２位置は、前記スロットを通じて前記捕捉フードのチャンバに前記針を横方向に挿入させる、
請求項２３に記載のフーバー針組立体。
【発明の詳細な説明】
【技術分野】
【０００１】
この出願は、２０１３年１０月１０日に出願された米国仮出願第６１／８８９２２０号の優先権を主張し、その内容は、ここでの言及によって取り入れられる。
【０００２】
本発明は、皮下注射用針に関する。特に、本発明は、安全捕捉装置を備えたフーバー（Huber）針に関する。
【背景技術】
【０００３】
フーバー針は、病院及びその代替医療現場において広く使用され、しばしば埋め込みポートと併せて使用される。このようなフーバー針は、化学療法、静脈内輸液、薬物療法、完全非経口栄養を施すために、又は埋め込みポートを通じて血液製剤を輸注するために使用されるノンコアリング（non-coring）針を付与する。埋め込みポートは、針の周りをシールし、針を適切な位置に保持し、フーバー針による多数のアクセスを可能にするセルフシールの隔壁を含む。
【発明の概要】
【発明が解決しようとする課題】
【０００４】
フーバー針は、患者の安全のために設計されているが、フーバー針は、使用者に相当な危険を与える可能性があり、フーバー針は不適切に使用される場合には使用者を血液由来病原体に、又はフーバー針を通じて投与される薬剤又は薬物に露出させる可能性がある。多くの場合、埋め込みポートから針を抜き取るために両手が必要である。一方の手は、埋め込みポートを安定させるために使用されるが、もう一方の手は、針を引き抜くために使用される。埋め込みポートのセルフシールの隔壁から針を引き抜くために必要な力は、針を跳ね返し、場合によると使用者に針刺し損傷を引き起こし得る。このような針刺し損傷は、使用者に肝炎又はＨＩＶなどの血液由来病原体を移すこともあり得る。従って、フーバー針が使用者への損傷及び露出の危険性を最小限にする安全な特徴を有する継続的必要性が存在する。
【０００５】
本発明は、使用者／医療従業者への針の損傷及び露出の危険性を最小限にする安全捕捉装置を備えたフーバー針組立体を提供する。
【課題を解決するための手段】
【０００６】
本発明の一態様では、安全捕捉装置を備えたフーバー針組立体が提供され、該フーバー針組立体は、本体部、本体部から遠位に延在する針、少なくとも１つのハンドル、可動アーム、及び捕捉フードを含む。可動アームは、遠位端部と近位端部とを有し、本体部に対して旋回可能である。少なくとも１つのハンドルは、針及び本体部に対して固定され得る。
【０００７】
捕捉フードは、可動アームの遠位端部に存在することができ、その長手方向軸の周りに大体円筒形であり得る。捕捉フードはさらに、長手方向軸の周りに軸方向に存在する外周側壁部によって規定されることができ、外周側壁部は、長手方向軸に対して外面と内面とを有する。捕捉フードはさらに、開口近位端部と、外周側壁部を通じたスロットと含む。捕捉フードの遠位端部は、開口又は閉塞され得る。
【０００８】
スロットは、スロットがそれを通じて延在する前記側壁部の厚さによって規定される厚さを有し、その厚さは、前記側壁部の外面と内面との間に存在する。それを考慮すると、スロットは、２つの側面を有し、各側面は、前記深さに沿って存在する縁部によって特徴づけられる（すなわち前記側壁部の外面と内面との間の前記側壁部の厚さ（縁部）に沿って延在する）。スロットは、捕捉チャンバの内部円筒形チャンバへのアクセスを付与する。内部チャンバは、少なくとも一部が外周側壁部によって規定される。スロットは、捕捉フードの長さの少なくとも一部に亘って、捕捉フードの開口近位端部まで長手方向に延在する。スロットの少なくとも一部は、針の外径より小さい幅を有する。
【０００９】
スロットの両側面はさらに、外周側壁部の外面に隣接したスロットの幅が外周側壁部の内面に隣接したスロットの幅より大きいようにテーパ状にすることができる。さらにまた、一態様では、外周側壁部の外面に隣接したスロットの幅は針の外径より大きく、外周側壁部の内面に隣接したスロットの幅は針の外径より小さい。一態様では、外周側壁部の外面に隣接したスロットの幅は０．０３５〜０．０３７インチの間であり、外周側壁部の内面に隣接したスロットの幅は０．０３２〜０．０３５インチの間であり、針の外径は０．０３５インチである。
【００１０】
別の態様では、捕捉フードは、その遠位端部の少なくとも一部に亘ってテーパ状にされている。この態様では、外周側壁部の外面及び内面の直径は、針の先端部を密接に収容するように減少させる。代替態様では、捕捉フードは、該捕捉フードの近位端部から円筒形であり、針の遠位先端部に大体隣接した位置まで一貫した内径及び外径を長手方向に維持し（すなわち、前記組立体が使用後位置にあるときに可動アームは針と平行に延在する状態にある）、捕捉フードはそれから、該捕捉フードの遠位端部まで内径及び外径が減少されてテーパ状にされる。
【００１１】
更なる態様では、捕捉フードは、該捕捉フードの近位端部から円筒形であり、針の遠位端部にある曲げ部に大体隣接した位置まで一貫した内径及び外径を長手方向に継続し（すなわち、前記組立体が使用後位置にあるときに可動アームは針に平行に延在する状態にある）、捕捉フードはそれから、該捕捉フードの遠位端部まで内径及び外径が減少されてテーパ状にされる。外周側壁部の外面及び内面の減少される直径は、針の先端部のための密接にぴったり合った収容を付与する。
【００１２】
本発明の別の態様は、近位端部にあるヒンジを有する可動アームを含み、ヒンジは、本体部に対して可動アームの旋回性を付与する。一実施形態では、本体部は、エルボとして規定され、エルボは、エルボのくぼみにおいて前記アームに移動可能に／旋回可能に取り付けられる。本体部はさらに、本体部から近位に延在する延在チューブと、安全捕捉装置を備えたフーバー針組立体が使用前位置にあるときに延在チューブに可動アームをクランプするために可動アームの第１外面に配置される少なくとも１つのラッチとを含む。
【００１３】
更なる態様は、前記組立体が使用後の針安全位置にあるときに針に可動アームをクランプするために可動アームの第２内面に配置された１つ若しくはそれ以上のラッチを含む。少なくとも１つのハンドル（好ましくは２つのハンドル）は、本体部の遠位端部から延在し、本体部と一体化される。本体部と可動アームとは、一体的に形成／成形され得る。可動アームの近位端部にあるヒンジは、一体的に形成された構造では単に縮れ部（crimp）とすることができる。
【００１４】
本発明のさらに完全な理解及びそれに付随する多くの利点は、添付図面に関して考える場合に以下の詳細な説明を参照することにより同様のものがより良く理解されるように容易に得られるであろう。
【図面の簡単な説明】
【００１５】
【図１】本発明の一実施形態に係る安全捕捉装置を備えたフーバー針組立体の斜視図であり、ヒンジの周りに自由に移動可能である安全捕捉装置が示されている。
【図２】図１のフーバー針組立体の安全捕捉装置の（捕捉位置に近づく）捕捉フードの拡大側面図である。
【図２Ａ】図１及び図２の捕捉フードの上面図である。
【図３】本発明の別の実施形態に係る安全捕捉装置を備えたフーバー針組立体の断面斜視図であり、クランプされた事前安全又は使用前位置にある安全捕捉装置が示されている。
【図４】図３に示される安全捕捉装置を備えたフーバー針組立体の更なる内部断面図であり、該断面図は、針、エルボ、及び延在チューブの中途で切り取られている。
【図５】本発明の更なる実施形態に係る安全捕捉装置を備えたフーバー針組立体の斜視図であり、クランプされた事前安全又は使用前位置にある安全捕捉装置が示されている。
【図６】図５に示される安全捕捉装置を備えたフーバー針組立体の後側断面図である。
【図７】図６に示される安全捕捉装置を備えたフーバー針組立体の拡大図である。
【図８】本発明の別の実施形態に係る捕捉フードの拡大図であり、捕捉フードは、捕捉位置に針を固定する。
【図８Ａ】図８の捕捉フードの上面図である。
【発明を実施するための形態】
【００１６】
安全捕捉装置を備えたフーバー針組立体は好ましくは、針安全又は拘束機構（針先端部ブロック機構）を含み、針安全又は拘束機構は、医療従業者への針刺しを低減する又は最小限にするために針を通さない囲いの内部に血液製剤又は薬物を含み得るフーバー針の少なくとも先端部分を安全に保持する。ここで使用される「遠位」及び「近位」の用語はそれぞれ、針の先端部が曲げられた搬送端部に近づく方向及び該搬送端部から離れる方向に言及する。
【００１７】
図１から図８を参照すると、本発明は、損傷、並びに空気を通じて又は直接接触によって運ばれ得る血液由来病原体、薬物、及びその他の望ましくない生物又は非生物の物品への使用者の露出の危険性を実質的に最小限にする安全捕捉装置を備えたフーバー針組立体を提供する。図１に示されるように、フーバー針組立体１００は、安全捕捉装置１０２、針１０４、本体部１０６、一対の翼付きハンドル１０８、及び延在チューブ１１０を含む。
【００１８】
フーバー針組立体１００の構成要素は、好適なエンジニアリングプラスチックから形成され得る。例示的実施形態では、本体部１０６、翼付きハンドル１０８、及び（可動アーム１３０、捕捉フード１３６などの）安全捕捉装置１０２全体は、単一構造を一体的に形成することができる。しかしながら、個々の構成要素が、別々の構成要素であって、機械的に取り付けられる、接着される、あるいは溶接されるかに関わらず、一時的に又は永久的に接続され得ることが理解される。
【００１９】
針１０４は、ステンレススチールなどの金属から形成される。針は、いくらか中ほどに位置付けられた９０度曲げ部（湾曲部）を備えた一体化した構造で作ることができる。（９０度曲げ部に対して遠位にある）針１０４の遠位端部１１２は、遠位先端部１５２の近くの曲げ部１１３を含み、遠位端部１１２は、（９０度曲げ部の近位にある）針１０４の近位端部１１４より長い。針１０４は、本体部１０６の内部において本体部１０６に対して固定して取り付けられる。
【００２０】
本発明の一実施形態を斜視図で示す図１に示されるように、本体部１０６は、エルボ１１６であり、この場合には実質的に９０度エルボである。一対のハンドル１０８は、エルボ１１６の遠位端部に形成され、エルボ１１６に固定又は一体化され、エルボ１１６から外側に実質的に垂直に延在する。代替的には、別の本体部１０６を使用することができる。例えば図５では、本発明の別の実施形態は、円筒形キャップ１１８として本体部１０６を示す。キャップ１１８は、主として垂直に方向付けることができ、延在チューブ１１０の遠位端部を受容するためにキャップ１１８から（恐らく垂直方向に）延在する中空ハウジング１２０を含み得る。あらゆる実施形態において、針は、フーバー針組立体１００の使用（すなわち使用中に針１０４の挿入及び引き抜き）を容易にするために本体部１０６の内部において方向移動（恐らく９０度）を受ける。代替的実施形態では、本体部１０６内において起こる方向移動は、必要ではないかもしれない、あるいは９０度以外の角度を含み得る。
【００２１】
図１を参照すると、安全捕捉装置１０２は、少なくとも、遠位端部１３２と近位端部１３４とを有する可動（揺動）アーム１３０を含む。捕捉フード１３６は、本体部１０６が近位端部１３４に位置付けられた状態で、可動アーム１３０の遠位端部１３２に位置付けられる。本体部１０６とアーム１３０とは、本体部１０６又はその近くにおいて（又はエルボ１１６のくぼみにおいて、図３もまた参照）近くに位置付けられたヒンジ１３８と結合される。本体部１０６と可動アーム１３０の押出エンジニアリングプラスチックの単一実施形態では、ヒンジ１３８は、単にそれに成形された縮れ部であり得る。
【００２２】
可動アーム１３０は、ヒンジ１３８の周りに旋回可能である（すなわち、可動アーム１３０の長手方向軸はヒンジ１３８の軸の周りに旋回（揺動）し、ヒンジ１３８の軸は可動アーム１３０の長手方向軸に垂直である）。従って、可動アーム１３０は、延在チューブ１１０と針１０４との間に規定される範囲内においてヒンジ１３８の周りに旋回する。従って、可動アーム１３０は、延在チューブ１１０の長手方向軸と針１０４の長手方向軸とによって規定され、それらの軸を通る平面においてヒンジ１３８の周りに旋回（揺動）する。
【００２３】
この実施形態では、２つのラッチ（クランプ）１４２がアーム１３０の第１（外）面１４０のまわりに配置される。ラッチ１４２は、（図３に示されるように）可動アーム１３０がクランプされた事前安全又は使用前位置にあるときに延在チューブ１１０に可動アーム１３０をクランプする。
【００２４】
可動アーム１３０の遠位端部１３２には捕捉フード（チャンバ）１３６が配置される。ここで図１及び図２を参照すると、捕捉フード１３６は、大体円筒形であり、開口近位端部１４４と閉塞遠位端部１４６とを有する。遠位端部１４６は、捕捉フード１３６の長さの一部に亘ってテーパ状にすることができ、例えば、捕捉フード１３６の遠位端部１４６の先端部まで外面的に及び内面的に細くすることができる。捕捉フード１３６の円筒形状とテーパ形状の間の移行位置は、図２に示されるように、（すなわち、安全捕捉装置１０２が使用後の安全な針捕捉位置又はその近くにあるときに）針１０４の先端部１５２の付近に生じ得る。代替的には、移行位置は、例えば針１０４の曲げ部１１３の付近により近位に生じ得る。捕捉フード１３６の遠位端部１４６の先端部は、代替的には開口され得る。
【００２５】
捕捉フード１３６は、スロット１５０を備えた外周側壁部１４８を有し、スロット１５０は、外周側壁部１４８を通じて捕捉フード１３６の長さ（高さ）の全体、ほとんど又は少なくとも一部に亘って延在する。図１から図６に示される安全捕捉装置１０２の捕捉フード１３６の実施形態では、スロット１５０の長手方向中心ラインが針１０４の長手方向軸と位置調整されることが好ましい。さらに、針１０４の遠位端部１１２の曲げ部１１３は、曲げられた遠位端部１１２の部分の長手方向軸を含む針１０４の長手方向軸が延在チューブ１１０の長手方向軸及び針１０４の長手方向軸によって規定される平面と該平面上において位置調整されたままであるように存在することが好ましい。従って、針１０４の先端部１５２は、スロット１５０の長手方向中心ラインに沿って捕捉フード１３６のスロット１５０に入り、針１０４の先端部１５２は、スロット１５０に入る針１０４のあらゆる残部より前にスロット１５０に入る。さらに、スロット１５０に入る針１０４の遠位端部１１２の一部の全体は（すなわち、針１０４の曲げられた先端部分と真っ直ぐな部分とは共に）、入るときにスロット１５０の中心ラインと位置調整されたそれぞれの長手方向軸の全体を有する。
【００２６】
本発明の第１態様では、捕捉フード１３６は、針１０４の少なくとも先端部１５２を受容するような長さで構成されている。好ましくは通常は、針１０４の遠位端部１１２の少なくとも一部が、捕捉フード１３６に追加的に捕捉される。代替的に、捕捉フード１３６は、針１０４の遠位端部１１２の全体を受容するように長くすることができる。好ましくは、針１０４全体は捕捉フード１３６に受容されないが、必要に応じてそのような実施形態が考えられる。
【００２７】
ここで（可動アーム１３０を捕捉フード１３６の開口近位端部１４４の方へ遠位に（下方に）見る）捕捉フード１３６の上面図である図２Ａを参照すると、スロット１５０は、スロット１５０のそれぞれの外幅（ＯＷ）より小さい内幅（ＩＷ）を有することを見ることができる。すなわち、この実施形態では、側壁部１４８の内周縁部間に開口するスロット１５０は、側壁部１４８の外周縁部間に開口するスロット１５０より小さい。この実施形態では、スロットの側壁部は従って、内方に狭くなるテーパ状にされている。
【００２８】
好ましくは、この図２Ａの実施形態では、スロット１５０の内幅（１Ｗ）は、針１０４の外径（ＯＤ）の寸法より僅かに小さい寸法であり、スロット１５０の外幅（ＯＷ）は、針１０４の外径（ＯＤ）の寸法より僅かに大きい寸法である。従って、針１０４は、捕捉フード１３６に入るときに（すなわちスロット１５０を通過する（横断する）ときに）僅かに抵抗を受け、人間の介在なしに捕捉フード１３６の内側部分から横方向に出ることができない。
【００２９】
例えば、外径（ＯＤ）が０．０３５インチの針１０４が使用される場合、スロット１５０の内側（ＬＷ）は、０．０３２〜０．０３５インチとすることができ、スロット１５０の外幅（ＯＷ）は、０．０３５〜０．０３７インチとすることができる。代替的実施形態では、スロット１５０の内幅（ＬＷ）と外幅（ＯＷ）とは共に、０．０３２〜０．０３５インチの間とすることができる。このように、本発明の他の実施形態は、スロット１５０の外幅（ＯＷ）及び／又は針１０４の外径（ＯＤ）より僅かに小さいから、等しい、又は僅かに大きい寸法に及ぶスロット１５０の内幅（ＩＷ）を含み得る。換言すれば、スロットの側壁部は、内方に狭くなるテーパ状にされる、真っ直ぐである、又は外方に狭くなるテーパ状にされることができる。通常は、スロット１５０の内幅（ＬＷ）及び／又は外幅（ＯＷ）の少なくとも１つは、針１０４の外径（ＯＤ）より僅かに小さい又は等しい。いずれの場合でも、スロット１５０の内幅（ＬＷ）と外幅（ＯＷ）の寸法は、スロット１５０を捕捉フード１３６の中へ横断させる（通過させる）ときに針１０４が僅かに抵抗を受けて人間の介在なしに捕捉フード１３６から出ることができないように選択され得る。図２に示されるように、針１０４の先端部１５２（及び遠位端部１１２の少なくとも一部）がチャンバ１３６に捕捉されるとき、可動アームの第２（内）面１５４は、針１０４に大体隣接すると共に平行である。
【００３０】
可動アーム１３０が（図３に示されるように）クランプされた事前安全又は使用前位置にあるとき、可動アーム１３０は、１つ若しくは複数のクランプ１４２を介して延在チューブ１１０に係止される。使用者が捕捉位置の方へ可動アーム１３０を揺動しようとする場合、クランプ１４２は、延在チューブ１１０から解放され、可動アーム１３０は、針１０４の方へヒンジ１３８の周りに旋回する。針１０４の少なくとも先端部１５２（及び通常は針１０４の遠位端部１１２の少なくとも一部又は全体）は、針１０４がスロット１５０を通過すると同時にチャンバ１３６に捕捉される。針１０４の先端部１５２は、側壁部１４８によって、及び針１０４の外径（ＯＤ）より小さい寸法であるスロット１５０の少なくとも内幅（ＬＷ）によってチャンバ（捕捉フード）１３６から出ることができない。
【００３１】
図３に示されるように、安全捕捉装置１０２を備えたフーバー針組立体１００の別の実施形態では、可動アーム１３０は、第２内面１５４に、２つのオフセットしたクランプアーム１４２Ａ、１４２Ｂを有するラッチ１４２を含む。２つのクランプアーム１４２Ａ、１４２Ｂは、可動アーム１３０が捕捉されて使用中の安全位置にある（すなわち、針１０４の少なくとも先端部１５２がチャンバ１３６に捕捉される（図３に示されていない））ときに安全捕捉装置１０２のための更なる固定機構を提供する。捕捉された使用中の安全位置では、２つのオフセットしたクランプアーム１４２Ａ、１４２Ｂを有するラッチ１４２は、針１０４と係合して可動アーム１３０をさらに固定する。別の実施形態では、２つ以上のラッチ１４２又は様々なクランプアーム位置を有する１つの若しくは複数のラッチが、可動アーム１３０の第１外面１４０かそれとも第２内面１５４に用いられ得る。
【００３２】
図４は、図３に示される安全捕捉装置１０２を有するフーバー針組立体１００の実施形態を示しているが、図４は、針１０４、エルボ１１６及び延在チューブ１１０を通る中途で切り取られた別の断面を有する。図４は従って、本体部１０６を通る針の９０度移行の詳細図を提供すると共に、この実施形態の本体部１０６の近位側における針１０４上の延在チューブ１１０の接続を詳細に提供する。
【００３３】
図５は、本発明の更なる実施形態を示し、安全捕捉装置１０２を有するフーバー針組立体１００は円筒形キャップ１１８として形成される本体部１０６を含む。円筒形キャップ１１８は、主として垂直に方向付けることができる（すなわち延在針１０４に対して長手方向に方向付けることができる）。この実施形態では、中空ハウジング１２０は、円筒形キャップ１１８に実質的に垂直に延在し、内部に延在チューブ１１０の遠位端部を受容する。この実施形態では、円筒形キャップ１１８は、その外周を（円筒形キャップ１１８の長手方向軸に対して）横断する溝部１６０を含む。横断溝部１６０は、可動アーム１３０の近位端部１３４に位置付けられた馬蹄型カラー（horseshoe collar）１６２を収容する（及び馬蹄型カラー１６２との接続点を付与する）。馬蹄型カラー１６２は、溝部１６０に対してその内部に固定して（例えば接着されて／溶接されて）又は取り外し可能に結合（スナップ嵌合）され得る。また、可動アーム１３０は、ヒンジ１３８の周りに旋回（揺動）することができ、延在チューブ１１０及び針１０４の長手方向軸によって及びそれを通じて規定される平面に沿って移動することができる。馬蹄型カラー１６２と溝部１６０との間の取付（固定される又は取り外し可能に結合されるに関わらず）は、ヒンジ１３８の周りに可動アーム１３０の旋回中に溝部１６０に対して馬蹄型カラー１６２の移動がないことを確保すると共に、可動アーム１３０が延在チューブ１１０及び針１０４の長手方向軸によって及びそれを通じて規定される平面に沿ってのみ旋回（揺動）することをさらに確保する更なる機械的固定を含むことができる。
【００３４】
図６は、本発明の図５の実施形態の後側の断面図を示し、安全捕捉装置１０２を備えたフーバー針組立体１００は、円筒形キャップ１１８として形成される本体部１０６を含む。図７は、図６の拡大図である。図６及び図７の断面図は、キャップ１１８の内部にある長手方向（垂直）に延びる内側針穴部１７０を示し、内側針穴部１７０は、そこから針１０４の遠位延在部を備えている。針穴部１７０に対して水平方向に方向付けられた開口チャネル（channel）１７２がまた示され、開口チャネル１７２は、中空ハウジング１２０を通じてキャップ１１８の中へ延在し、チャネル１７２の底部１７４は、針１０４用のハウジング基部を提供する。組立時に、９０度曲げ部を備えた一部品の針１０４は第１に、針１０４の（曲げ部１１３から）曲げられた先端部分を備えた遠位端部１１２が針穴部１７０を通じて挿入された状態で開口チャネル１７２に配置される。本体部１０６から近位に延在する（及び中空ハウジング１２０の中心長手方向軸から延在する）針１０４の（９０度曲げ部の近位にある）近位端部１１４が、延在チューブ１１０に（摩擦で嵌合するように）接続される。延在チューブ１１０は次に、中空ハウジング１２０に内部に摩擦でさらに接続される。中空ハウジング１２０への延在チューブ１１０の接続はそのとき適切に結合される。延在チューブ１１０への針１０４の近位端部１１４の接続は、中空ハウジング１２０への延在チューブ１１０の接続と共に、フーバー針組立体１００（及びそのそれぞれの構成要素並びにその接続）を提供し、使用による多くの起こり得る破壊的な力（すなわち皮下アクセスポート（access port）装置への針の挿入中及び皮下アクセスポート装置から針の引き抜き中に生じる力）に耐えて保護する。あらゆる全ての摩擦接続はさらに、適切である場合には所望により接着／溶接することができる。
【００３５】
図８は、本発明の捕捉フード１３６の別の実施形態を示す。この図面では、前記チャンバ内部にある使用後安全捕捉位置にある針１０４が示されている。一態様では、針１０４の遠位端部１１２にある曲げ部１１３が平面から離れた（すなわち針１０４の曲げられた遠位端部１１２の部分の長手方向軸は、針１０４の残部の長手方向軸と延在チューブ１１０の長手方向軸とによって及びそれらを通じて規定される平面、すなわち可動アーム１３０の揺動面とそれに沿って位置調整されない）捕捉フード１３６のこの実施形態が使用され得る。この態様では、スロット１５０の内幅（ＩＷ）と外幅（ＯＷ）とは、スロット１５０の長さの少なくとも遠位部分に亘って、針１０４の平面から離れた曲げられた先端部の遠位端部１１２を収容すると共に受容するためにより広い寸法を必要とし得る。
【００３６】
図８の実施形態では、捕捉フード１３６は、大体円筒形であり、開口近位端部１４４と閉塞遠位端部１４６とを有する。捕捉フード１３６は、スロット１５０を備えた外周側壁部１４８を有し、スロット１５０は、外周側壁部１４８を通じ、捕捉フード１３６の長さ（高さ）の全体、ほとんど又は少なくとも一部に亘って延在する。
【００３７】
図８の実施形態では、スロット１５０の長手方向中心ラインは、針１０４の長手方向軸と位置調整される。しかしながら、この実施形態では、示されるように、スロット１５０は、遠位端部１１２に平面から離れた曲げ部１１３を有する針１０４を収容するのに十分に広い。スロット１５０の長さの近位部分（Ｐ）に亘って、側壁部１４８の厚さとスロット１５０の内幅（ＩＷ）及び外幅（ＯＷ）の寸法は、前記捕捉フード１３６の実施形態と同様であり得る。スロット１５０の長さの遠位部分（Ｄ）に亘って、図８の実施形態では、側壁部１４８の厚さは、スロット１５０の長さの近位部分（Ｐ）の厚さより相当に小さく、その結果、より大きい内幅（ＩＷ）寸法を有し、針１０４の平面から離れた先端部が曲げられた遠位端部１１２をその中に受容することができる。別の実施形態では、スロット１５０の長手方向中心ラインは、針１０４の長手方向軸と位置調整されない。
【００３８】
図８Ａは、（可動アーム１３０を捕捉フード１３６の開口近位端部１４４に遠位に（下方に）見る）図８の捕捉フード１３６の上面図である。ここでは、スロット１５０は、スロット１５０の長さの近位部分（Ｐ）の内幅（ＩＷＰ）と、（点線で示される）スロット１５０の長さの遠位部分（Ｄ）の内幅（ＩＷＤ）とを有し、それらは、スロット１５０のそれぞれの外幅（ＯＷ）より小さいことを見ることができる。また、スロット１５０の側壁部は、テーパ状にされている（ここでは、内方に狭くなるテーパ状にされている）。
【００３９】
この図８の実施形態では、側壁部１４８の内周縁部間のスロット１５０の開口は、側壁部１４８の外周縁部間のスロット１５０の開口より小さい。好ましくは、この実施形態では、スロット１５０の長さの近位部分（Ｐ）の内幅（ＩＷＰ）は、針１０４の外径（ＯＤ）の寸法より僅かに小さい寸法であり、スロット１５０の外幅（ＯＷ）は、針１０４の外径（ＯＤ）の寸法より僅かに大きい寸法である。従って、針１０４は、捕捉フード１３６に入るときに（すなわちスロット１５０を通過する（すなわち横断する）ときに）僅かな抵抗を受けて、人間の介在なしに捕捉フード１３６の内側部分から横方向に出ることができない。この実施形態では、スロット１５０の長さの遠位部分（Ｄ）の内幅（ＩＷＤ）は、針１０４の外径（ＯＤ）より１〜４倍大きくされ得る。より好ましくは、スロット１５０の長さの遠位部分（Ｄ）の内幅（ＩＷＤ）は、針１０４の外径（ＯＤ）より２〜３倍大きくされ得る。
【００４０】
この実施形態では、スロット１５０の長さの近位部分（Ｐ）の内幅（ＩＷＰ）は、スロット１５０の長さの近位部分（Ｐ）及び遠位部分（Ｄ）の側壁部１４８の異なる厚さのために、スロット１５０の長さの遠位部分（Ｄ）の内幅（ＩＷＤ）とは異なる（すなわちスロット１５０の外幅（ＯＷ）はスロット１５０の長さの近位部分（Ｐ）及び遠位部分（Ｄ）に亘って一定の寸法である）。別の実施形態では、側壁部１４８の厚さは、スロット１５０の長さの近位部分（Ｐ）及び遠位部分（Ｄ）に亘って一定のままとすることができ、スロット１５０の長さの外幅（ＯＷ）、近位部分（Ｐ）の内幅（ＩＷＰ）、及び遠位部分（Ｄ）の内幅（ＩＷＤ）は、所望のそれぞれの寸法を得るために変更することができる。
【００４１】
図８の実施形態では、移行部分は、スロット１５０の長さの近位部分（Ｐ）及び遠位部分（Ｄ）間に位置付けられ、側壁部１４８の厚さは、スロット１５０の長さの近位部分（Ｐ）のそれぞれの内幅（ＩＷＰ）を得るために必要であるものと、スロット１５０の長さの遠位部分（Ｄ）のそれぞれの内幅（ＩＷＤ）のためのものとの間で移行する。
【００４２】
この側壁部１４８の厚さ移行部分は、図８に示されるように、（安全捕捉装置１０２が使用後安全針捕捉位置にあるときに）針１０４の遠位端部１１２の曲げ部１１３の付近に生じ得る。代替的に、側壁部１４８の厚さ移行部分は、より近位に生じ得る。この実施形態における捕捉フード１３６の遠位端部１４６は、代替的に開口し得る。
【００４３】
使用時に、フーバー針注射又は注入が完了した後に、医療従業者は、ラッチ１４２をアンクランプし、可動アーム１３０を延在チューブ１１０から分離してヒンジ１３８の周りに自由に旋回することを可能にする。医療従業者は次に、一対の翼付きハンドル１０８を徐々に引っ張ることによって患者から針１０４を注意深く引き抜く。針１０４が患者の皮膚から出るときに、可動アーム１３０は、針１０４の少なくとも先端部１５２（及び実施形態に応じて針１０４の遠位端部１１２の一部）がスロット１５０を摩擦で通過して捕捉フード１３６に移行することができる位置に旋回する（又は旋回している）。スロット１５０への針１０４の僅かな挟みによって、針１０４は、スロット１５０の幅が針１０４の外径より小さいことから生じる摩擦力を克服し、それによってチャンバ（捕捉フード）１３６内に針１０４を捕捉して固定する。安全捕捉装置１０２を備えたフーバー針組立体１００はそのとき安全に配置することができる。針１０４の先端部１５２（及び針１０４の遠位端部１１２の一部）は針捕捉組立体１０２の捕捉フード１３６の内部にあるので、フーバー針組立体１００は、医療従業者（使用者）又は患者への偶然の針刺しの危険性を最小限にする。フーバー針組立体１００はまた、針１０４を通じて移動する物質から生じるあらゆる放出を吸入するあらゆる危険性を最小限にする。
【００４４】
図示された実施形態では、針１０４は、使用時に針１０４の挿入及び引き抜きを容易にするために実質的に９０度エルボに適合するそれぞれの本体部１０６の内部に丸形部分を含む。代替的実施形態では、針１０４は、本体部１０６の内部にこの曲げられた部分を備えていない、幾つかの曲げられた部分を有する、又は実質的に９０度エルボではない曲げられた部分を有するようにすることができる。図示された針１０４はまた、実質的に円形断面形状を有しているが、代替実施形態では、針１０４は、楕円形状、三角形状、矩形形状、多角形状、又は前記のものの組み合わせである断面形状を有し得る。
【００４５】
安全捕捉装置１０２組立体は、使用者による使用前にフーバー針組立体１００に適合させることができる（すなわち安全捕捉装置１０２はフーバー針組立体１００から別個に製造されて提供され、使用直前にフーバー針組立体１００に配置され得る）。すなわち、安全捕捉装置１０２は、別個の構成要素であるが、部品一式としてフーバー針組立体１００と共に提供され得る。例えば、使用直前に、馬蹄型カラー１６２は、円筒形キャップ１１８の横断溝部１６０に摩擦で嵌合される。好ましくは、安全捕捉装置１０２は、製造業者の間で恐らく単一構造としてフーバー針組立体１００に組み込まれる。
【００４６】
本発明のこれら及びその他の利点は、前述した明細書から当業者に明らかとなるであろう。従って、本発明の広範な発明概念から逸脱することなく前記実施形態に対する変更又は修正が行われ得ることが当業者に認識されるであろう。あらゆる特定の実施形態の具体的寸法は例示のためだけに記載されるものであり、従って、本発明は、ここに記載される特定の実施形態に限定されるものではないが、本発明の範囲及び主旨での全ての変更及び修正を含むことを意図することを理解すべきである。
【図１】
0006456934.tif 000002
【図２】
0006456934.tif 000003
【図２Ａ】
0006456934.tif 000004
【図３】
0006456934.tif 000005
【図４】
0006456934.tif 000006
【図５】
0006456934.tif 000007
【図６】
0006456934.tif 000008
【図７】
0006456934.tif 000009
【図８】
0006456934.tif 000010
【図８Ａ】
0006456934.tif 000011